(57)【要約】      （修正有）【課題】ウエスト弾性体の存在しない非伸縮域において、外面シートの内面側にイラストシートが接合手段を介して固定され、外部からイラストを視認することができるとともに、所要のシート強度を発揮しうる使い捨て着用物品を提供する。【解決手段】弾性ウエストパネル１１は、外面シートと、ウエスト弾性体２７と、内面シートと、ウエスト弾性体と内面シートの間に配置された、外部から視認可能な装飾要素を有するイラストシートとを有する。第１ウエスト域１３，１４が、ウエスト弾性体の配置された、横方向Ｘにおいて離間対向する一対の伸縮域と、ウエスト弾性体が配置されていない伸縮域間に位置する非伸縮域３７とを有し、装飾要素の少なくとも一部が非伸縮域に位置しており、イラストシートが非伸縮域において外面シートと内面シートとの間に配置されて、外面シートと接合手段を介して互いに接合される。【選択図】図１
2015154796.tif 000002
【特許請求の範囲】
【請求項１】
縦方向及び横方向と、肌対向面及び非肌対向面とを有し、前後ウエスト域のうちの一方である第１ウエスト域と、それらの他方である第２ウエスト域と、前記第１及び第２ウエスト域間に位置するクロッチ域と、前記第１及び第２ウエスト域を形成する環状の弾性ウエストパネルと、前記弾性ウエストパネルに取り付けられた、吸液性コアを有する吸収シャーシとを含む使い捨て着用物品において、
前記弾性ウエストパネルは、前記非肌対向面側に位置する外面シートと、ウエスト周り方向へ伸縮可能なウエスト弾性体と、前記ウエスト弾性体の前記肌対向面側に位置する内面シートと、前記ウエスト弾性体と前記内面シートとの間に配置された、外部から視認可能な装飾要素を有するイラストシートとを有し、
前記第１ウエスト域が、前記ウエスト弾性体の配置された、前記横方向において離間対向する一対の伸縮域と、前記ウエスト弾性体が配置されていない、前記伸縮域間に位置する非伸縮域とを有し、前記装飾要素の少なくとも一部が前記非伸縮域に位置しており、
前記イラストシートが、前記非伸縮域において前記外面シートと前記内面シートとの間に配置されて、前記外面シートと接合手段を介して互いに接合される前記着用物品。
【請求項２】
縦方向及び横方向と、肌対向面及び非肌対向面とを有し、前後ウエスト域のうちの一方である第１ウエスト域と、それらの他方である第２ウエスト域と、前記第１及び第２ウエスト域間に位置するクロッチ域と、前記第１及び第２ウエスト域を形成する環状の弾性ウエストパネルと、前記弾性ウエストパネルに取り付けられた、吸液性コアを有する吸収シャーシとを含む使い捨て着用物品において、
前記弾性ウエストパネルは、前記非肌対向面側に位置する外面シートと、ウエスト周り方向へ伸縮可能なウエスト弾性体と、前記ウエスト弾性体の前記肌対向面側に位置する内面シートと、外部から視認可能な装飾要素を有するイラストシートとを有し、
前記第１ウエスト域が、前記ウエスト弾性体の配置された、前記横方向において離間対向する一対の伸縮域と、前記ウエスト弾性体が配置されていない、前記伸縮域間に位置する非伸縮域とを有し、前記装飾要素の少なくとも一部が前記非伸縮域に位置しており、
前記イラストシートが、前記非伸縮域において、前記内面シートの前記吸収シャーシと対向する面側に位置し、前記外面シートと前記内面シートとが前記接合手段を介して互いに接合される前記着用物品。
【請求項３】
前記ウエスト弾性体がストリング状又はストランド状の弾性材料から形成されており、前記接合手段が、前記非伸縮域において、少なくとも前記ウエスト弾性体どうしの前記縦方向における離間した部分に配置される請求項１又は２に記載の着用物品。
【請求項４】
前記ウエスト弾性体は、前記第１ウエスト域の両側縁に位置する外端部と、前記外端部と前記横方向において対向する内端部とを有し、前記内端部は前記イラストシートの両側部と平面視において互いに重なって位置しており、かつ、前記吸液性コアの両側部と平面視において互いに重なっている請求項１〜３のいずれかに記載の着用物品。
【請求項５】
前記接合手段は、前記横方向へ延びる複数の接合ラインを有し、前記接合ラインの端部が前記ウエスト弾性体の前記内端部と前記縦方向において重なって位置する請求項４に記載の着用物品。
【請求項６】
前記第１ウエスト域の外面に取り付けられたテープファスナをさらに有し、前記テープファスナは前記外面に固定された固定部を有し、前記接合手段は少なくとも前記固定部と平面視において重なるように配置される請求項１〜５のいずれかに記載の着用物品。
【請求項７】
前記接合手段が、前記テープファスナの前記固定部と平面視において重なる位置にのみ配置されており、前記横方向へ延びる、前記縦方向において所与寸法離間して配置された複数条のラインから形成される請求項６に記載の着用物品。
【請求項８】
前記固定部の外端部分が前記伸縮域に位置しており、前記接合手段が前記伸縮域における前記外端部と平面視において重なる部分に配置される請求項６又は７に記載の着用物品。
【請求項９】
前記接合手段が、前記第１ウエスト域の両側縁間において連続して前記横方向へ延在する請求項１〜８のいずれかに記載の着用物品。
【請求項１０】
前記ウエスト弾性体が、少なくとも前記横方向へ伸縮可能な弾性シートから形成される請求項１〜９のいずれかに記載の着用物品。
【請求項１１】
前記請求項１に記載の使い捨て着用物品の製造方法において、前記接合手段は、接着剤塗布加工、ヒートシール加工およびソニック加工のいずれかである前記製造方法。
【請求項１２】
第１連続シートと、第２連続シートと、前記第１及び第２連続シートの間に介在した複数条の連続弾性体と、前記連続弾性体の一部を前記第１及び第２連続シートに固定しないことによって画定され、かつ、機械方向において断続的に配置された非固着部分とを有する複合ウエブを形成する工程と、
前記複合ウエブの前記非固着部分を切断・加工ロールの外周面から突出する加工領域においてプレスし、前記加工領域に配置された先尖状の切断加工部において前記連続弾性体を切断し、かつ、前記機械方向と交差する方向において前記切断加工部と並んで配置された溶着加工部において前記連続弾性体間の離間部分における第１連続シートと第２連続シートとを接合する工程とを含む請求項１１に記載の製造方法。
【発明の詳細な説明】
【技術分野】
【０００１】
本発明は、使い捨ておむつ、トレーニングパンツ、おむつカバー等の使い捨て着用物品に関する。
【背景技術】
【０００２】
従来、ウエスト回りに伸縮可能なウエスト弾性体を有する使い捨て着用物品は公知である。例えば、特許文献１には、前後ウエスト域の少なくとも一方において、肌対向面に位置する内面シートと、非肌対向面側に位置する外面シートと、内外面シート間に介在されたウエスト弾性体と、外部から視認可能な意匠要素を有するイラストシートとを含む使い捨ておむつが開示されている。
【０００３】
この使い捨ておむつでは、ウエスト弾性体が、イラストシートの外面シートと対向する面側に位置して接着剤等の接着手段を介して固定されており、かつ、一方ウエスト域の中央部において切断又は除去されている。該中央部においては、ウエスト弾性体の収縮力が実質的に作用されていない非伸縮域が形成されている。
【先行技術文献】
【特許文献】
【０００４】
【特許文献１】特開２０１２−１７９３１３号公報（Ｐ２０１２−１７９３１３Ａ）
【発明の概要】
【発明が解決しようとする課題】
【０００５】
特許文献１に開示された使い捨ておむつにおいては、ウエスト弾性体の内端部がイラストシートの外面シートとの対向面側に位置しており、該中央部においてウエスト弾性体が存在しておらず、非伸縮域が形成されていることを外部から確認することができる。
【０００６】
しかしながら、ウエスト弾性体の存在域においてはウエスト弾性体を固定するための接着手段によって外面シートとイラストシートが互いに接合された状態にあるところ、ウエスト弾性体が存在していない中央部においては、イラストシートと外面シートが互いに非接合の状態にある。そのため、おむつの着用時において、外面シートがイラストシートから離間するように浮き上があり、着用者にシート強度が弱く、破れ易い印象を与えるおそれがある。また、外面シートがイラストシート（又は、それと対向するシート）から離間してそれらの間に空間が形成されることによって、イラストシートの中央部に位置する装飾要素を外部からはっきりと視認し難くなる。
【０００７】
そこで、本発明では、ウエスト弾性体の存在しない非伸縮域においても外面シートがその内面側に位置するシートに接合手段を介して固定されて、外部からイラストをはっきりと視認することができるとともに、該領域において所要のシート強度を発揮しうる使い捨て着用物品の提供を課題にしている。
【課題を解決するための手段】
【０００８】
前記課題を解決するために、本発明の第１及び第２発明が対象とするのは、縦方向及び横方向を有し、肌対向面及び非肌対向面と、前後ウエスト域のうちの一方である第１ウエスト域と、それらの他方である第２ウエスト域と、第１及び第２ウエスト域間に位置するクロッチ域と、前記第１及び第２ウエスト域を形成する環状の弾性ウエストパネルと、前記弾性ウエストパネルに取り付けられた、吸液性コアを有する吸収シャーシとを含む使い捨て着用物品である。
【０００９】
本発明に係る使い捨て着用物品において、第１発明の特徴は、前記弾性ウエストパネルは、前記非肌対向面側に位置する外面シートと、ウエスト周り方向へ伸縮可能なウエスト弾性体と、前記ウエスト弾性体の前記肌対向面側に位置する内面シートと、外部から視認可能な装飾要素を有するイラストシートとを有し、前記第１ウエスト域が、前記ウエスト弾性体の配置された、前記横方向において離間対向する一対の伸縮域と、前記ウエスト弾性体が配置されていない、前記伸縮域間に位置する非伸縮域とを有し、前記装飾要素の少なくとも一部が前記非伸縮域に位置しており、前記イラストシートが、前記非伸縮域において前記外面シートと前記内面シートとの間に配置されて、前記外面シートと接合手段を介して互いに接合される。
【００１０】
本発明に係る使い捨て着用物品において、第２発明の特徴は、前記弾性ウエストパネルは、前記非肌対向面側に位置する外面シートと、ウエスト周り方向へ伸縮可能なウエスト弾性体と、前記ウエスト弾性体の前記肌対向面側に位置する内面シートと、外部から視認可能な装飾要素を有するイラストシートとを有し、前記第１ウエスト域が、前記ウエスト弾性体の配置された、前記横方向において離間対向する一対の伸縮域と、前記ウエスト弾性体が配置されていない、前記伸縮域間に位置する非伸縮域とを有し、前記装飾要素の少なくとも一部が前記非伸縮域に位置しており、前記イラストシートが、前記非伸縮域において、前記内面シートの前記吸収シャーシと対向する面側に位置し、前記外面シートと前記内面シートとが前記接合手段を介して互いに接合される。
【００１１】
本発明の第３発明は、第１の発明に記載の使い捨て着用物品の製造方法において、前記接合手段は、接着剤塗布加工、ヒートシール加工およびソニック加工のいずれかである。
【発明の効果】
【００１２】
本発明の１つ以上の実施の形態に係る使い捨て着用物品によれば、前後ウエスト域のうちの一方である第１ウエスト域が、一対の伸縮域間とそれらの間に位置するウエスト弾性体が存在していない非伸縮域間とを有し、外部から視認可能な装飾要素を備えるイラストシートが非伸縮域の外面シートと内面シートとの間に位置して外面シートと接合手段を介して接合されているので、それらのシートが接合されていない場合に比して、非伸縮域におけるシート強度が向上するともに、装飾要素の視認性を向上させることができる。
【００１３】
本発明の１つ以上の実施の形態に係る使い捨て着用物品によれば、前後ウエスト域のうちの一方である第１ウエスト域が、一対の伸縮域間とそれらの間に位置するウエスト弾性体が存在していない非伸縮域間とを有し、外部から視認可能な装飾要素を備えるイラストシートが非伸縮域の内面シートの吸収シャーシと対向する面側に位置して外面シートと内面シートとが接合手段を介して互いに接合されているので、非伸縮域におけるシート強度が向上するともに、装飾要素の視認性を向上させることができる。
【図面の簡単な説明】
【００１４】
図面は、本発明の特定の実施の形態を示し、発明の不可欠な構成ばかりでなく、選択的及び好ましい実施の形態を含む。
【図１】本発明に係る使い捨て着用物品の一例として示す、第１実施形態の使い捨ておむつの着用状態を正面から視た斜視図。
【図２】着用状態のおむつを背面側から視た一部破断斜視図。
【図３】各ウエスト弾性体をおむつの縦方向及び横方向へ伸長させた状態における、おむつの一部破断展開図。
【図４】おむつの分解斜視図。
【図５】前ウエストパネルにおいて、外面シートの一部を除いた状態における平面図。
【図６】後ウエストパネルにおいて、外面シートの一部を除いた状態における平面図。
【図７】（ａ）図５のＶＩＩ−ＶＩＩ（ａ）線に沿う模式的断面図  （ｂ）図６のＶＩＩ（ｂ）線に沿う模式的断面図。
【図８】おむつの変更例における図６と同様の平面図。
【図９】おむつの他の変更例における図６と同様の平面図。
【図１０】第２実施形態における、おむつの着用状態を背面から視た斜視図。
【図１１】図１０のＸ−Ｘ線に沿う模式的断面図。
【図１２】第２実施形態のおむつの変更例における図６と同様の平面図。
【図１３】第３実施形態におけるおむつの図６と同様の平面図。
【図１４】第３実施形態におけるおむつの製造方法の一部を示す図。
【図１５】ヒートロールの拡大斜視図。
【発明を実施するための形態】
【００１５】
下記の各実施の形態は、図１〜１５に示すおむつに関し、発明の不可欠な構成ばかりではなく、選択的及び好ましい構成を含む。
【００１６】
＜第１実施形態＞
図１〜４を参照すると、おむつ１０は、縦方向Ｙ及びそれに直交する横方向Ｘを有し、肌対向面及びそれに対向する非肌対向面と、ウエスト回り方向へ延びる環状の弾性ウエストパネル１１と、弾性ウエストパネル１１の肌対向側に取り付けられた吸収シャーシ１２と、前ウエスト域（第１又は第２ウエスト域）１３と、後ウエスト域（第１又は第２ウエスト域）１４と、前後ウエスト域１３，１４間に位置するクロッチ域１５とを含む。
【００１７】
弾性ウエストパネル１１は、弾性ベルト機能を有し、前ウエスト域１３の一部を形成する前ウエストパネル１６と、後ウエスト域１４の一部を形成する後ウエストパネル１７とを含む。前後ウエストパネル１６，１７は、内端縁１６ａ，１７ａと、外端縁１６ｂ，１７ｂと、外端縁１６ｂ，１７ｂから内方へ延びる外側縁（前後ウエスト域の両側縁）１６ｃ，１７ｃと、外側縁１６ｃ，１７ｃから内方へ斜めに延びる内側縁１６ｄ，１７ｄとによって画定された略台形状を有する。互いに対向する前ウエストパネル１６の両外側縁１６ｃと後ウエストパネル１７の両外側縁１７ｃどうしは、互いに重ね合わされ、縦方向Ｙへ間欠的に並ぶサイドシーム１８において公知の手段、例えば、熱エンボス加工、ソニックなどによる各種の熱溶着手段によって連結され、ウエスト開口１９と一対のレッグ開口２０とが画定される。
【００１８】
前後ウエストパネル１６，１７は、それぞれ、肌対向面側に位置する内面シート２１，２２と、非肌対向面側に位置する外面シート２３，２４とを含む。前記内外面シート２１−２４は、質量約１５〜３０ｇ／ｍ２のＳＭＳ（スパンボンド・メルトブローン・スパンボンド）繊維不織布、スパンボンド繊維不織布若しくはエアスルー繊維不織布、または、プラスチックシート、開孔プラスチックシート及びそれらのラミネートシートなどを用いることができる。また、外面シート２３，２４は、後記の装飾要素が外部から視認される程度の全光線透過率を有する。
【００１９】
具体的には、内外面シート２１−２４を質量約１０〜３０ｇ／ｍ２のＳＭＳ繊維不織布、スパンボンド繊維不織布又はエアスルー繊維不織布から形成した場合において、その全光線透過率が７５％以上、好ましくは、８３％以上である。各シートの全光線透過率がかかる範囲内であれば、後記イラストシート３９，４０の装飾要素を外部から容易に視認することができる。各シートの全光線透過率は、公知の測定方法によるものであって、例えば、日本電色工業株式会社製の交照測光式色差計Ｚ−３００Ａを用いて測定することができる。
【００２０】
前後ウエストパネル１６，１７の内外面シート２１−２４間には、ストリング状又はストランド状の複数条の前後ウエスト弾性体２７，２８が横方向Ｘへ伸縮可能にそれぞれ配設されており、前後ウエストパネル１６，１７は少なくとも横方向Ｘへ弾性化されている。前後ウエスト弾性体２７，２８は、ウエスト開口に沿って横方向Ｘへ延びる前後上方ウエスト弾性体２７Ａ，２８Ａと、前後上方ウエスト弾性体２７Ａ，２８Ａと内端縁１６ａ，１７ａとの間において横方向Ｘへ延びる前後下方ウエスト弾性体２７Ｂ，２８Ｂとを有する。前後下方ウエスト弾性体２７Ｂ，２８Ｂの配設された領域には、前後伸縮域３０，３１が形成される。
【００２１】
前後下方ウエスト弾性体２７Ｂ，２８Ｂは、それぞれ、前後ウエスト域１３，１４の外側縁１６ｃ，１７ｃに位置する外端部３２，３３と、外端部３２，３３と前記横方向Ｘにおいて対向する内端部３４，３５とを有し、前後ウエスト域１３，１４の中央部においてその一部が切断、収縮されて非存在下にある前後非伸縮域３６，３７が画定されている。このように、前後非伸縮域３６，３７が前後ウエスト域１３，１４の中央部に位置することから、前後ウエストパネル１６，１７の内面に位置する吸収シャーシ１２の中央部（吸液性コアの中央部）に前後下方ウエスト弾性体２７Ｂ，２８Ｂの収縮力が直接作用されてギャザー等が形成されないので、その収縮力が作用することによる吸収性能の低下を抑制することができる。
【００２２】
前後非伸縮域３６，３７を形成する方法としては、例えば、内外面シート２１，２２，２３，２４の少なくとも一方における前後下方ウエスト弾性体２７Ｂ，２８Ｂの存在する部位の内面にホットメルト接着剤を適宜パターンで塗布し、これら各域にわたって一連の前後下方ウエスト弾性体２７Ｂ，２８Ｂを伸長下で供給して前記接着剤の塗布域に固定し、その状態において前後非伸縮域３６，３７に位置する前後下方ウエスト弾性体２７Ｂ，２８Ｂを（１箇所のみ）切断すると、前後下方ウエスト弾性体２７Ｂ，２８Ｂは自動的に収縮（スナップバック）する。したがって、前後非伸縮域３６，３７には、収縮力を有する前後下方ウエスト弾性体２７Ｂ，２８Ｂが実質的に存在しない。前後下方ウエスト弾性体２７Ｂ，２８Ｂの内端部３４，３５の全体またはその一部は、スナップバックによって収縮した部分であって、イラストシート３９，４０の両側部において外面シート２３，２４とイラストシート３９，４０に非固定の状態にあり、収縮性が実質的に発現されていない。
【００２３】
このように、前後下方ウエスト弾性体２７Ｂ，２８Ｂをスナップバックさせるために、後記の接合手段５０，５１は、横方向Ｘにおいて離間対向する前後下方ウエスト弾性体２７Ｂ，２８Ｂの内端部３４，３５どうしをつなぐ仮想線（図示せず）間、すなわち、前後下方ウエスト弾性体２７Ｂ，２８Ｂの離間部分（横方向Ｘにおいて互いに対向する前後下方ウエスト断背体２７Ｂ，２８Ｂの内端部３４，３５間）に少なくとも配置されていることが好ましい。接合手段５０，５１が、前後下方ウエスト弾性体２７Ｂ，２８Ｂと重なって位置する場合には、それら弾性体をスナップバックさせることができず、前後非伸縮域３６，３７を形成することができないおそれがある。
【００２４】
前後ウエスト弾性体２７，２８としては、例えば、太さが約４７０〜１２４０ｄｔｅｘであって，約１．５〜３．５倍に伸長された状態で収縮可能に取り付けられたストリング状又はストランド状の弾性材料を用いることができる。前後ウエスト弾性体２７，２８の太さ、伸長倍率、各弾性体間の離間寸法（ピッチ）等の条件は適宜変更することが可能であるが、着用者の身体に安定的に着用されるために、前後上方ウエスト弾性体２７Ａ，２８Ａによる伸縮域の伸長力が、前後下方ウエスト弾性体２７Ｂ，２８Ｂによる伸縮域のそれよりも大きくなるように各弾性体の条件を設定することが好ましい。
【００２５】
前ウエストパネル１６の内面シート２１の肌対向面側には、内面シート２１と対向する面に、着用状態において外部から視認可能な装飾要素３８が印刷されたイラストシート３９が配置される。また、後ウエストパネル１７の内外面シート２２，２４間であって、後ウエスト弾性体２８と内面シート２２との間には、外面シート２４と対向する面に、着用状態において外部から視認可能な装飾要素４１が印刷されたイラストシート４０が配置される。イラストシート３９，４０は、不透液性の繊維不織布、不透液性かつ透湿性のプラスチックフィルム又はそれらのラミネートシートから形成される。本実施形態においては、装飾要素３８，４１の一例として、動物を模したキャラクターの図柄が示されているが、外部から形態が把握できる限りにおいて、各種公知の図形、装飾模様、絵柄、商品の商標、製造者の表記等であってもよい。
【００２６】
図３及び４を参照すると、吸収シャーシ１２は、前後ウエストパネル１６，１７に取り付けられた前後端部１２Ａ，１２Ｂと、少なくともクロッチ域１５において縦方向Ｙへ延びる吸液性コア４３と、吸液性コア４３の肌対向面側に位置する親水性の繊維不織布から形成されたトップシート４４と、吸液性コア４３の非肌対向面側に位置する疎水性又は難透液性の繊維不織布から形成されたバックシート４５と、吸液性コア４３とバックシート４５との間に配置された、少なくとも吸液性コア４３のバックシート４５と対向する面全体を被覆する大きさを有する防漏シート４６とを含む。トップシート４４とバックシート４５には、ＳＭＳ繊維不織布やスパンボンド不織布等の各種公知の繊維不織布を用いることができる。
【００２７】
吸液性コア４３は、所要量の超吸収性ポリマー粒子とフラッフパルプとを混合したものであって、おむつ１０を構成するシート部材に比して剛性の高い半剛性を有する。また、吸液性コア４３は、縦方向Ｙにおける中央部が幅狭状を有するパネル形態をなすものであって、その全体がティッシュ等の液拡散性シート４７で被包されている。トップシート４４とバックシート４５は、吸液性コア４３の周縁部から外側へ延出しており、該延出部どうしが互いに重ね合わされてホットメルト接着剤（図示せず）を介して接合されることによって、吸液性コア４３の両側縁から横方向Ｘの外側に延出するサイドフラップと、吸液性コアの両端縁から縦方向Ｙの外側に延出するエンドフラップとが形成される。各サイドフラップには、縦方向Ｙへ延びるレッグ弾性体４９が、伸長状態で収縮可能に取り付けられる。
【００２８】
図５及び図７（ａ）を参照すると、前ウエストパネル１６の前非伸縮域３６において、外面シート２３の内面と内面シート２１の内面とが、ホットメルト接着剤等の各種公知の接合手段５０を介して互いに接合される。本実施形態においては、接合手段５０として、横方向Ｘへスパイラル状に延びる塗布パターンを有するホットメルト接着剤を用いているが、ソニックシールやヒートシール加工等の公知の熱溶着手段を用いることもできる。接合手段５０として、ホットメルト接着剤を用いる場合には、所要の接合強度を有する限りにおいて、図示されているようなスパイラル状のほかに、ライン状やドット状等の各種公知の塗布パターンを用いることができる。
【００２９】
通常、スナップバックによって、前ウエスト弾性体２７が存在していない前非伸縮域においては、製造工程において内外面シート２１，２３の非接合域を形成して前ウエスト弾性体２７を切断して収縮させるので、該領域において内外面シート２１，２３は互いに離間した状態となっている。かかる場合には、おむつ１０の着用状態において、外面シート２３が前非伸縮域（非接合域）３６において内面シート２１から浮き上がったような状態となる。このように、繊維不織布シートから形成された外面シート２３が内面シート２１から浮き上がったような態様は、着用者に対して、破れ易く、強度が低い印象を与えるおそれがあり、おむつ１０全体の外観を損ねるおそれがある。
【００３０】
本実施形態においては、前非伸縮域３６において接合手段５０を介して内外面シート２１，２３が互いに接合されているので、外面シート２３が内面シート２１から浮き上がって、おむつ１０の外観を損ねるおそれはない。また、通常、前ウエストパネル１６の内外面シート２１，２３が前非伸縮域３６において非接合の場合には、互いに離間して外面シート２３が内面シート２１から浮き上がったような状態となる。かかる場合には、イラストシート３９の装飾要素３８の輪郭がぼやけて、外部から視認し難くなる。すなわち、外面シート２３が内面シート２２から離間することによって、それらの間に隙間が形成され、外面シート２３を透過した光が内面シート２１の対向面に反射されて拡散し、それらシートから透視されるべき装飾要素３８の輪郭が外部から見え難くなる。本実施形態においては、前非伸縮域３６において内外面シート２１，２３が接合手段５０を介して互いに接合されていることによって、かかるシートの浮き上がりが防止されるので、前ウエストパネル１６の内面側に位置するイラストシート３９の装飾要素３８の輪郭が見え難くなるのを抑制することができる。
【００３１】
図６及び図７（ｂ）を参照すると、後ウエスト域１４においては、後非伸縮域３７において、外面シート２４の内面とイラストシート４０の外面シート２４との対向面とが、接合手段５１によって互いに接合されている。したがって、外面シート２４とイラストシート４０との間に光の散乱を招くような隙間が形成されず、装飾要素４１の輪郭をはっきりと視認することができる。なお、イラストシート４０の内面シート２２との対向する面は、ホットメルト接着剤等の接合手段によって接合されていてもよいし、接合手段５１を介して外面シート２４との対向面が接合されている限りにおいて、非接合であってもよい。
【００３２】
後下方ウエスト弾性体２８Ｂは、イラストシート４０の両側部まで延びており、その内端部３５は両側部と平面視において重なっている。後下方ウエスト弾性体２８Ｂの内端部３５がイラストシート４０の両側部に位置することによって該部分にはその収縮力が作用している。したがって、イラストシート４０と内面シート２２とが接合されてない場合であってもその収縮力によって内面シート２２が身体に密接されるので、両シート２２，４０が互いに剥離したり、位置ずれしてギャザーが生じたりするおそれはない。
【００３３】
また、前ウエスト域１３においては、前下方ウエスト弾性体２７Ｂの内端部３４が、吸収シャーシ１２の前端部１２Ａの両側縁部と平面視において互いに重なって位置し、後ウエスト域１４においては、後下方ウエスト弾性体２８Ｂの内端部３５が、吸収シャーシ１２の後端部１２Ｂの両側縁部と平面視において互いに重なって位置している。前後下方ウエスト弾性体２７Ｂ，２８Ｂは、必ずしも吸収シャーシ１２の一部と平面視において重なって位置する必要はないが、このように両側部に弾性体の収縮力が作用することによって、該両側部を着用者の身体に密接して、着用中における吸収シャーシ１２の位置ずれを抑制することができる。
【００３４】
既述のとおり、外面シート２３，２４の浮き上がりを防止するために、前後ウエスト域１３，１４の前後非伸縮域３６，３７において接合手段５０，５１を介して外面シート２３，２４と接合されるのは、それらの内面側に位置するシート（イラストシート３９，４０又は内面シート２１，２２）であればよい。本実施形態においては、前ウエストパネル１６の内面側にイラストシート３９が配置され、後ウエストパネル１７内にイラストシート４０が配置されているが、前ウエストパネル１６内にイラストシート３９が配置され、後ウエストパネル１７の内面側にイラストシート４０が配置されていてもよい。また、前後ウエスト域１３，１４の一方にのみイラストシート３９，４０を配置してもよい。
【００３５】
＜変更例＞
図８は、おむつ１０の変更例の一例を示すものであって、本実施態様においては、後ウエスト域１４において、それに弾性を付与する手段として、少なくともウエスト回りへ伸縮可能な弾性シート５８から形成されている。すなわち、一対の弾性シート５８の収縮力によって後伸縮域３１が形成され、後伸縮域３１間に位置する後非伸縮域３７には弾性シート５８が配置されていない。弾性シート５８には、弾性繊維不織布を用いることができ、例えば、スパンボンド繊維不織布、メルトブローン繊維不織布、ヒートロール繊維不織布、ＳＭＳ繊維不織布、エアレイド繊維不織布及びエアスルー繊維不織布など公知の弾性を有する繊維不織布を単独又はそれらを組み合わせたものから形成することができる。
【００３６】
＜他の変更例＞
図９は、おむつ１０の他の変更例の一例を示すものであって、本実施態様においては、後ウエスト域１４において、後非伸縮域３７において外面シート２４とイラストシート４０とを固定するための接合手段５１が、両外側縁１７ｃ間において横方向Ｘへ連続して延びている。このように、後非伸縮域３７のみならず後伸縮域３１まで延在することによって、後伸縮域３１における外面シート２４と内面シート２２との接合手段としても機能しうる。なお、同様に、前ウエスト域１３において接合手段５０が両外側縁１６ｃ間において横方向Ｘに連続して延びていてもよい。
【００３７】
＜第２実施形態＞
図１０は、第２実施形態におけるおむつ１０の斜視図、図１１は、図１０のＸ−Ｘ線に沿う模式的拡大図であって、本変更例においては、後ウエスト域１４の中央部には、ウエスト開口１９側へ展開可能なテープファスナ６０が配置される。テープファスナ６０は、繊維不織布、プラスチックシートまたはそれらのラミネートシート等であって、所要のシート強度を有する基材シートから形成されており、断面Ｚ字型に折り畳まれている。テープファスナ６０は、ホットメルト接着剤等の公知の接合手段からなるファスナ接合域６１を介して外面シート２４の外面に固定された固定部６２と、固定部６２からテープの長さ方向へ延びる自由部６３と、自由部６３の先端に位置する摘持部６３ａとを有する。自由部６３は、折り曲げられた状態が維持されるべく、エンボス加工又は感圧接着剤からなる仮止め手段６４によって仮止めされており、また、熱エンボス加工による仮止め手段６５によってテープファスナ６０全体の折畳状態が維持されている。テープファスナ６０は、パンツ型のおむつの廃棄用又はサイズ用の締結手段として使用するためのものであって、縦方向Ｙ又は横方向Ｘに並行に配置されていてもよいし、それらに交差する方向に配置されていてもよいし、複数配置されていてもよい。
【００３８】
このように、テープファスナ６０が後非伸縮域３７の外面に配置されている場合において、後非伸縮域３７において外面シート２４とそれと対向するシート（イラストシート４０を配置しない場合には、内面シート２１，２２）が接合されていない場合には、単層の外面シート２３，２４にテープファスナ６０の固定部６２が接合されることになるので、安定的に接合されず、テープファスナ６０を展開したとき等に固定部６２の位置する非伸縮域の一部が破れるおそれがある。本実施形態においては、後非伸縮域３７において外面シート２４とそれに対向するイラストシート４０とが互いに接合されていることから、テープファスナ６０の固定部６２が位置する領域が複数のシート（少なくとも外面シート２４とイラストシート４０）が積層されて形成されているので、所要のシート強度を有し、テープファスナ６０の使用時等に不用意に後非伸縮域３７の一部が破れたりするおそれはない。
【００３９】
本実施形態においては、接合手段５１はテープファスナ６０の固定部６２と平面視において重なる部分にのみ位置しているが、後非伸縮域３７全体に配置されていてもよい。ただし、接合手段５１が固定部６２と平面視において重なる部分にのみ位置する場合には、後非伸縮域３７全体に位置する場合に比べてより少量の接着材料によって、該部分における剥離強度を高めるとともに、装飾要素４１の視認性も向上させることができ、材料コストを抑えることができる。また、縦方向Ｙへ延びるテープファスナ６０と交差するように接合手段５１を構成する複数条の接合ラインが横方向へ延びていることによって、該接合部分に縦皺が形成され難く、固定部６２を安定的に固定し易くなる。また、テープファスナ６０は廃棄時におむつのウエスト開口側へ引っ張られて展開されるものであって、できるだけウエスト開口側に位置することが好ましく、かかる場合には、固定部６２の外端部分（ウエスト開口側の端部）が後上方ウエスト弾性体２８Ａによる伸縮域に位置することになる。該伸縮域においては後上方ウエスト弾性体２８Ａの収縮作用によって外面シート２４に複数の皺が形成され易くなるところ、後上方ウエスト弾性体２８Ａの外周に塗布された接着剤以外に接合手段５１によって内外面シート２２，２４シートが接合されることによって皺の発生が抑制されて外面シート２４の外面が平らになってテープファスナ６０の固定部６２を安定的に固定することができる。
【００４０】
＜変更例＞
図１２は、第２実施形態のおむつ１０における変更例の一例を示す、図６と同様の図であって、図１２を参照すると、後ウエスト域１４の後非伸縮域３７において、接合手段５１はテープファスナ６０のファスナ接合域６１と後ウエストパネル１７の厚さ方向において重なる領域にのみ配置されている。後非伸縮域３７において外面シート２４とイラストシート４０とは接合手段５１を介して部分的に互いに接合されており、かかる接合態様であっても、外面シート２４の浮き上がりを防止して装飾要素４１の視認性の低下を抑制することができるとともに、かつ、テープファスナ６０の固定部６２におけるシート強度を向上させることができ、前記のような問題を回避することができる。
【００４１】
＜第３実施形態＞
図１３は、第３実施形態におけるおむつ１０の図６と同様の一部破断平面図である。図１３を参照すると、後非伸縮域３７における外面シート２４とイラストシート４０とを固定するための接合手段（ヒートシール部）７０がヒートシール加工によって形成されている。外面シート２４は熱可塑性繊維を含む繊維不織布から形成されており、プラスチックフィルムから形成されたイラストシート４０と公知の溶着手段によって熱融着されることによって互いに接合されており、両シート２４，４０の接合部分には溶着された部分（シール部）が形成される。接合手段７０は、後非伸縮域３７の少なくとも一部に配置されていればよく、接合手段７０によって装飾要素４１の視認性が低下するのを防止するために、装飾要素４１の両側にのみ配置されていてもよい。
【００４２】
図１４は、本実施形態におけるおむつ１０を連続的に製造する工程の一部、特に、おむつ１０の弾性ウエストパネル１１を製造する工程の一部を示すものである。図１４を参照すると、搬送プレート（図示せず）上に位置する、複数の後ウエストパネル１７の基材となる第１複合ウエブ８１と、複数の前ウエストパネル１６の基材となる第２複合ウエブ８２とが伸長状態で機械方向ＭＤに搬送され、切断・接合工程において、一対の切断・接合ロール８３に押圧される。第１及び第２複合ウエブ８１，８２は、それぞれ、内外面シート２１，２２，２３，２４の基材となる第１及び第２連続シート８４，８５，８６，８７とそれらの間に介在された前後ウエスト弾性体２７、２８の基材となる第１及び第２連続弾性体８８，８９とを含み、第１及び第２連続シート８４，８５，８６，８７は、第１及び第２連続弾性体８８，８９の全周に塗布した接着剤又は両シートの対向面に塗布された接着剤を介して互いに接合されている。第１及び第２連続弾性体８８，８９は、その全周に塗布された接着剤を介して両シートに接合されているところ、機械方向ＭＤにおいて断続的に配置された部分において、接着剤が塗布されておらず、それらシートに固定されていない非固着部分を有する。第２複合ウエブにおける非固着部分には、装飾要素（図示せず）を有するイラストシート４０が配置される。各切断・接合ロール８３は、下記の効果を奏する程度に加熱されている。
【００４３】
図１５は、切断・接合ロール８３の斜視図である。切断・接合ロール８３の外周面８３ａには、外周面８３ａから突出した、第１及び第２複合ウエブ８１，８２に当接される加工領域９０を有する。加工領域９０は、軸方向（交差方向ＣＤ）において交互に並ぶ、先鋭状の切断加工部９１と細長プレート状の溶着加工部９２とから構成される。切断加工部９１及び溶着加工部９２の形状、大きさ、外周面８３ａから突出する寸法等は、第１及び第２複合ウエブ８１，８２の非固着部分の面積、形状、第１及び第２連続弾性体８８，８９の繊度、本数、離間寸法（ピッチ）等によって適宜調整される。
【００４４】
再び、図１４を参照すると、切断・接合ロール８３の回転速度は、第１及び第２複合ウエブ８１，８２の固着部分と加工領域９０との位相が一致するように第１及び第２複合ウエブ８１，８２の搬送速度と同期されている。すなわち、切断・接合ロール８３を通過するときに、第１及び第２接合ウエブ８１，８２の非固着部分はそれらの加工領域９０においてプレスされる。このとき、第１及び第２連続弾性体８８，８９は加工領域９０の切断加工部９１によって切断されて、非固着部分の弾性体はスナップバックして該部分には弾性体が存在せず、一方、第１及び第２連続弾性体８８，８９間の離間部分には溶着加工部９２が押し当てられて、第１及び第２連続シート８４〜８７が互いに熱融着されて、シール部（接合手段）７０が形成される。このように、切断・接合ロール８３の加工領域９０を第１及び第２複合ウエブ８１，８２にプレスすることによって、第１及び第２連続弾性体８８，８９の切断と各シートどうしの接合とを同時に行うことができ、それらを別々の工程で行う場合に比して、製造工程がより簡易になり、おむつの生産速度を上げて生産コストを下げることができる。
【００４５】
第１及び第２複合ウエブ８１，８２は、切断・接合ロール８３によってプレスされた後に、レッグ開口を形成するようにカットされて、それらの間に吸収シャーシ１２が転写される。第１複合ウエブ８１には、切断接合ロール８３によってプレスされる前に、吸収シャーシ１２と対向する側に装飾要素（図示せず）が位置するイラストシート３９が、第２複合ウエブ８２のイラストシート４０と交差方向ＣＤにおいて対向するように配置される。その後、各種必要な工程を経た後に、各おむつ１０が製造される。本製造方法のほかに、各種公知の製造方法を採用することができ、例えば、第１及び第２複合ウエブ８１，８２を単一の複合ウエブとして構成し、単一の切断・接合ロールによって交差方向ＣＤにおいて離間対向する非固着部分（前後非伸縮域３６，３７に相当）において同時に切断、接合加工をすることもできる。
【００４６】
なお、おむつ１０を構成する部材には、特に明記されていない限りにおいて、本明細書に記載されている材料のほかに、この種の分野において通常用いられている公知の材料を制限なく用いることができる。また、本明細書において使用されている「第１」および「第２」等の用語は、同様の要素、位置等を単に区別するために用いてある。
【００４７】
以上に記載した本発明に関する開示は、少なくとも下記事項に整理することができる。
（１）縦方向及び横方向と、肌対向面及び非肌対向面とを有する、前後ウエスト域のうちの一方である第１ウエスト域と、それらの他方である第２ウエスト域と、第１及び第２ウエスト域間に位置するクロッチ域と、前記第１及び第２ウエスト域を形成する環状の弾性ウエストパネルと、前記弾性ウエストパネルに取り付けられた、吸液性コアを有する吸収シャーシとを含む使い捨て着用物品において、
前記弾性ウエストパネルは、前記非肌対向面側に位置する外面シートと、ウエスト周り方向へ伸縮可能なウエスト弾性体と、前記ウエスト弾性体の前記肌対向面側に位置する内面シートと、前記ウエスト弾性体と前記内面シートとの間に配置された、外部から視認可能な装飾要素を有するイラストシートとを有し、
前記第１ウエスト域が、前記ウエスト弾性体の配置された、前記横方向において離間対向する一対の伸縮域と、前記ウエスト弾性体が配置されていない、前記伸縮域間に位置する非伸縮域とを有し、前記装飾要素の少なくとも一部が前記非伸縮域に位置しており、
前記イラストシートが、前記非伸縮域において前記外面シートと前記内面シートとの間に配置されて、前記外面シートと接合手段を介して互いに接合される前記着用物品。
（２）縦方向及び横方向と、肌対向面及び非肌対向面とを有する、前後ウエスト域のうちの一方である第１ウエスト域と、それらの他方である第２ウエスト域と、第１及び第２ウエスト域間に位置するクロッチ域と、前記第１及び第２ウエスト域を形成する環状の弾性ウエストパネルと、前記弾性ウエストパネルに取り付けられた、吸液性コアを有する吸収シャーシとを含む使い捨て着用物品において、
前記弾性ウエストパネルは、前記非肌対向面側に位置する外面シートと、ウエスト周り方向へ伸縮可能なウエスト弾性体と、前記ウエスト弾性体の前記肌対向面側に位置する内面シートと、外部から視認可能な装飾要素を有するイラストシートとを有し、
前記第１ウエスト域が、前記ウエスト弾性体の配置された、前記横方向において離間対向する一対の伸縮域と、前記ウエスト弾性体が配置されていない、前記伸縮域間に位置する非伸縮域とを有し、前記装飾要素の少なくとも一部が前記非伸縮域に位置しており、
前記イラストシートが、前記非伸縮域において、前記内面シートの前記吸収シャーシと対向する面側に位置し、前記外面シートと前記内面シートとが前記接合手段を介して互いに接合される前記着用物品。
（３）使い捨て着用物品の製造方法において、前記接合手段は、接着剤塗布加工、ヒートシール加工およびソニック加工のいずれかである前記製造方法。
【００４８】
上記段落００４７に開示した本発明は、少なくとも下記の実施の形態を含むことができる。該実施の形態は、分離して又は互いに組み合わせて採択することができる。
（１）ウエスト弾性体がストリング状又はストランド状の弾性材料から形成されており、前記接合手段が、前記非伸縮域において、少なくとも前記ウエスト弾性体どうしの前記縦方向における離間した部分に配置される。
（２）前記ウエスト弾性体は、前記第１ウエスト域の両側縁に位置する外端部と、前記外端部と前記横方向において対向する内端部とを有し、前記内端部は前記イラストシートの両側部と平面視において互いに重なって位置しており、かつ、前記吸液性コアの両側部と平面視において互いに重なっている。
（３）前記接合手段は、前記横方向へ延びる複数の接合ラインを有し、前記接合ラインの端部が前記ウエスト弾性体の前記内端部と前記縦方向において重なって位置する。
（４）前記第１ウエスト域の外面に取り付けられたテープファスナをさらに有し、前記テープファスナは前記外面に固定された固定部を有し、前記接合手段は少なくとも前記固定部と平面視において重なるように配置される。
（５）前記接合手段が、前記テープファスナの前記固定部と平面視において重なる位置にのみ配置されており、前記横方向へ延びる、前記縦方向において所与寸法離間して配置された複数条のラインから形成される。
（６）前記固定部の外端部分が前記伸縮域に位置しており、前記接合手段が前記伸縮域における前記外端部と平面視において重なる部分に配置される。
（７）前記接合手段が、前記第１ウエスト域の両側縁間において連続して前記横方向へ延在する。
（８）前記ウエスト弾性体が、少なくとも前記横方向へ伸縮可能な弾性シートから形成される。
（９）第１連続シートと、第２連続シートと、前記第１及び第２連続シートの間に介在した複数条の連続弾性体と、前記連続弾性体の一部を前記第１及び第２連続シートに固定しないことによって画定され、かつ、機械方向において断続的に配置された非固着部分とを有する複合ウエブを形成する工程と、前記複合ウエブの前記非固着部分を切断・加工ロールの外周面から突出する加工領域においてプレスし、前記加工領域に配置された先尖状の切断加工部において前記連続弾性体を切断し、かつ、前記機械方向と交差する方向において前記切断加工部と並んで配置された溶着加工部において前記連続弾性体間の離間部分における第１連続シートと第２連続シートとを接合する工程とを含む。
【符号の説明】
【００４９】
１０  使い捨て着用物品（使い捨ておむつ）
１１  弾性ウエストパネル
１２  吸収シャーシ
１３  前ウエスト域
１４  後ウエスト域
１５  クロッチ域
１６  前ウエストパネル
１６ｃ  前ウエスト域の側縁
１７  後ウエストパネル
１７ｃ  後ウエスト域の側縁
２１，２２  内面シート（内側シート）
２３，２４  外面シート（外側シート）
２７  前ウエスト弾性体（ウエスト弾性体）
２７Ｂ  前下方ウエスト弾性体（ウエスト弾性体）
２８  後ウエスト弾性体
２８Ｂ  後下方ウエスト弾性体（ウエスト弾性体）
３０  前伸縮域
３１  後伸縮域
３２，３３  前後ウエスト弾性体の外端部
３４，３５  前後ウエスト弾性体の内端部
３６  前非伸縮域
３７  後非伸縮域
３８  装飾要素
３９  イラストシート（内側シート）
４０  イラストシート（内側シート）
４１  装飾要素
５０，５１，７０  接合手段（シール部）
６０  テープファスナ
６２  テープファスナの固定部
８４，８５  第１連続シート
８６，８７  第２連続シート
８３  切断・接合ロール
９０  加工領域
９１  切断加工部
９２  溶着加工部
【図１】
2015154796.tif 000003
【図２】
2015154796.tif 000004
【図３】
2015154796.tif 000005
【図４】
2015154796.tif 000006
【図５】
2015154796.tif 000007
【図６】
2015154796.tif 000008
【図７】
2015154796.tif 000009
【図８】
2015154796.tif 000010
【図９】
2015154796.tif 000011
【図１０】
2015154796.tif 000012
【図１１】
2015154796.tif 000013
【図１２】
2015154796.tif 000014
【図１３】
2015154796.tif 000015
【図１４】
2015154796.tif 000016
【図１５】
2015154796.tif 000017
【手続補正書】
【提出日】平成27年6月19日(2015.6.19)
【手続補正１】
【補正対象書類名】特許請求の範囲
【補正対象項目名】全文
【補正方法】変更
【補正の内容】
【特許請求の範囲】
【請求項１】
縦方向及び横方向と、肌対向面及び非肌対向面とを有し、前後ウエスト域のうちの一方である第１ウエスト域と、それらの他方である第２ウエスト域と、前記第１及び第２ウエスト域間に位置するクロッチ域と、前記第１及び第２ウエスト域を形成する環状の弾性ウエストパネルと、前記弾性ウエストパネルに取り付けられた、吸液性コアを有する吸収シャーシとを含む使い捨て着用物品において、
前記第１ウエスト域の外面に取り付けられたテープファスナをさらに有し、
前記弾性ウエストパネルは、前記非肌対向面側に位置する外面シートと、ウエスト周り方向へ伸縮可能なウエスト弾性体と、前記ウエスト弾性体の前記肌対向面側に位置する内面シートと、前記ウエスト弾性体と前記内面シートとの間に配置された、外部から視認可能な装飾要素を有するイラストシートとを有し、
前記第１ウエスト域が、前記ウエスト弾性体の配置された、前記横方向において離間対向する一対の伸縮域と、前記ウエスト弾性体が配置されていない、前記伸縮域間に位置する非伸縮域とを有し、前記装飾要素の少なくとも一部が前記非伸縮域に位置しており、
前記イラストシートが、前記非伸縮域において前記外面シートと前記内面シートとの間に配置されて、前記外面シートと接合手段を介して互いに接合されており、
前記テープファスナは前記外面に固定された固定部を有し、前記接合手段は少なくとも前記固定部と平面視において重なるように配置されており、
前記接合手段が、前記テープファスナの前記固定部と平面視において重なる位置にのみ配置されており、前記横方向へ延びる、前記縦方向において所与寸法離間して配置された複数条のラインから形成されることを特徴とする前記着用物品。
【請求項２】
縦方向及び横方向と、肌対向面及び非肌対向面とを有し、前後ウエスト域のうちの一方である第１ウエスト域と、それらの他方である第２ウエスト域と、前記第１及び第２ウエスト域間に位置するクロッチ域と、前記第１及び第２ウエスト域を形成する環状の弾性ウエストパネルと、前記弾性ウエストパネルに取り付けられた、吸液性コアを有する吸収シャーシとを含む使い捨て着用物品において、
前記第１ウエスト域の外面に取り付けられたテープファスナをさらに有し、
前記弾性ウエストパネルは、前記非肌対向面側に位置する外面シートと、ウエスト周り方向へ伸縮可能なウエスト弾性体と、前記ウエスト弾性体の前記肌対向面側に位置する内面シートと、外部から視認可能な装飾要素を有するイラストシートとを有し、
前記第１ウエスト域が、前記ウエスト弾性体の配置された、前記横方向において離間対向する一対の伸縮域と、前記ウエスト弾性体が配置されていない、前記伸縮域間に位置する非伸縮域とを有し、前記装飾要素の少なくとも一部が前記非伸縮域に位置しており、
前記イラストシートが、前記内面シートの前記吸収シャーシと対向する面側に位置し、前記外面シートと前記内面シートとが前記非伸縮域において前記接合手段を介して互いに接合されており、
前記テープファスナは前記外面に固定された固定部を有し、前記接合手段は少なくとも前記固定部と平面視において重なるように配置されており、
前記接合手段が、前記テープファスナの前記固定部と平面視において重なる位置にのみ配置されており、前記横方向へ延びる、前記縦方向において所与寸法離間して配置された複数条のラインから形成されることを特徴とする前記着用物品。
【請求項３】
前記ウエスト弾性体がストリング状又はストランド状の弾性材料から形成されており、前記接合手段が、前記非伸縮域において、少なくとも前記ウエスト弾性体どうしの前記縦方向における離間した部分に配置される請求項１又は２に記載の着用物品。
【請求項４】
前記ウエスト弾性体は、前記第１ウエスト域の両側縁に位置する外端部と、前記外端部と前記横方向において対向する内端部とを有し、前記内端部は前記イラストシートの両側部と平面視において互いに重なって位置しており、かつ、前記吸液性コアの両側部と平面視において互いに重なっている請求項１〜３のいずれかに記載の着用物品。
【請求項５】
前記固定部の前記縦方向における外端部分が前記伸縮域に位置しており、前記接合手段が前記伸縮域における前記外端部と平面視において重なる部分に配置される請求項１〜４のいずれかに記載の着用物品。
【手続補正２】
【補正対象書類名】明細書
【補正対象項目名】０００９
【補正方法】変更
【補正の内容】
【０００９】
本発明に係る使い捨て着用物品において、第１発明の特徴は、前記第１ウエスト域の外面に取り付けられたテープファスナをさらに有し、前記弾性ウエストパネルは、前記非肌対向面側に位置する外面シートと、ウエスト周り方向へ伸縮可能なウエスト弾性体と、前記ウエスト弾性体の前記肌対向面側に位置する内面シートと、前記ウエスト弾性体と前記内面シートとの間に配置された、外部から視認可能な装飾要素を有するイラストシートとを有し、前記第１ウエスト域が、前記ウエスト弾性体の配置された、前記横方向において離間対向する一対の伸縮域と、前記ウエスト弾性体が配置されていない、前記伸縮域間に位置する非伸縮域とを有し、前記装飾要素の少なくとも一部が前記非伸縮域に位置しており、前記イラストシートが、前記非伸縮域において前記外面シートと前記内面シートとの間に配置されて、前記外面シートと接合手段を介して互いに接合されており、前記テープファスナは前記外面に固定された固定部を有し、前記接合手段は少なくとも前記固定部と平面視において重なるように配置されており、前記接合手段が、前記テープファスナの前記固定部と平面視において重なる位置にのみ配置されており、前記横方向へ延びる、前記縦方向において所与寸法離間して配置された複数条のラインから形成される。
【手続補正３】
【補正対象書類名】明細書
【補正対象項目名】００１０
【補正方法】変更
【補正の内容】
【００１０】
本発明に係る使い捨て着用物品において、第２発明の特徴は、前記第１ウエスト域の外面に取り付けられたテープファスナをさらに有し、前記弾性ウエストパネルは、前記非肌対向面側に位置する外面シートと、ウエスト周り方向へ伸縮可能なウエスト弾性体と、前記ウエスト弾性体の前記肌対向面側に位置する内面シートと、外部から視認可能な装飾要素を有するイラストシートとを有し、前記第１ウエスト域が、前記ウエスト弾性体の配置された、前記横方向において離間対向する一対の伸縮域と、前記ウエスト弾性体が配置されていない、前記伸縮域間に位置する非伸縮域とを有し、前記装飾要素の少なくとも一部が前記非伸縮域に位置しており、前記イラストシートが、前記内面シートの前記吸収シャーシと対向する面側に位置し、前記外面シートと前記内面シートとが前記非伸縮域において前記接合手段を介して互いに接合されており、前記テープファスナは前記外面に固定された固定部を有し、前記接合手段は少なくとも前記固定部と平面視において重なるように配置されており、前記接合手段が、前記テープファスナの前記固定部と平面視において重なる位置にのみ配置されており、前記横方向へ延びる、前記縦方向において所与寸法離間して配置された複数条のラインから形成される。
【手続補正４】
【補正対象書類名】明細書
【補正対象項目名】００１１
【補正方法】削除
【補正の内容】
【手続補正５】
【補正対象書類名】明細書
【補正対象項目名】００４７
【補正方法】変更
【補正の内容】
【００４７】
以上に記載した本発明に関する開示は、少なくとも下記事項に整理することができる。
（１）縦方向及び横方向と、肌対向面及び非肌対向面とを有する、前後ウエスト域のうちの一方である第１ウエスト域と、それらの他方である第２ウエスト域と、第１及び第２ウエスト域間に位置するクロッチ域と、前記第１及び第２ウエスト域を形成する環状の弾性ウエストパネルと、前記弾性ウエストパネルに取り付けられた、吸液性コアを有する吸収シャーシとを含む使い捨て着用物品において、
前記第１ウエスト域の外面に取り付けられたテープファスナをさらに有し、
前記弾性ウエストパネルは、前記非肌対向面側に位置する外面シートと、ウエスト周り方向へ伸縮可能なウエスト弾性体と、前記ウエスト弾性体の前記肌対向面側に位置する内面シートと、前記ウエスト弾性体と前記内面シートとの間に配置された、外部から視認可能な装飾要素を有するイラストシートとを有し、
前記第１ウエスト域が、前記ウエスト弾性体の配置された、前記横方向において離間対向する一対の伸縮域と、前記ウエスト弾性体が配置されていない、前記伸縮域間に位置する非伸縮域とを有し、前記装飾要素の少なくとも一部が前記非伸縮域に位置しており、
前記イラストシートが、前記非伸縮域において前記外面シートと前記内面シートとの間に配置されて、前記外面シートと接合手段を介して互いに接合されており、
前記テープファスナは前記外面に固定された固定部を有し、前記接合手段は少なくとも前記固定部と平面視において重なるように配置されており、
前記接合手段が、前記テープファスナの前記固定部と平面視において重なる位置にのみ配置されており、前記横方向へ延びる、前記縦方向において所与寸法離間して配置された複数条のラインから形成されることを特徴とする。
（２）縦方向及び横方向と、肌対向面及び非肌対向面とを有する、前後ウエスト域のうちの一方である第１ウエスト域と、それらの他方である第２ウエスト域と、第１及び第２ウエスト域間に位置するクロッチ域と、前記第１及び第２ウエスト域を形成する環状の弾性ウエストパネルと、前記弾性ウエストパネルに取り付けられた、吸液性コアを有する吸収シャーシとを含む使い捨て着用物品において、
前記第１ウエスト域の外面に取り付けられたテープファスナをさらに有し、
前記弾性ウエストパネルは、前記非肌対向面側に位置する外面シートと、ウエスト周り方向へ伸縮可能なウエスト弾性体と、前記ウエスト弾性体の前記肌対向面側に位置する内面シートと、外部から視認可能な装飾要素を有するイラストシートとを有し、
前記第１ウエスト域が、前記ウエスト弾性体の配置された、前記横方向において離間対向する一対の伸縮域と、前記ウエスト弾性体が配置されていない、前記伸縮域間に位置する非伸縮域とを有し、前記装飾要素の少なくとも一部が前記非伸縮域に位置しており、
前記イラストシートが、前記内面シートの前記吸収シャーシと対向する面側に位置し、前記外面シートと前記内面シートとが前記非伸縮域において前記接合手段を介して互いに接合されており、
前記テープファスナは前記外面に固定された固定部を有し、前記接合手段は少なくとも前記固定部と平面視において重なるように配置されており、
前記接合手段が、前記テープファスナの前記固定部と平面視において重なる位置にのみ配置されており、前記横方向へ延びる、前記縦方向において所与寸法離間して配置された複数条のラインから形成されることを特徴とする。
【手続補正６】
【補正対象書類名】明細書
【補正対象項目名】００４８
【補正方法】変更
【補正の内容】
【００４８】
上記段落００４７に開示した本発明は、少なくとも下記の実施の形態を含むことができる。該実施の形態は、分離して又は互いに組み合わせて採択することができる。
（１）ウエスト弾性体がストリング状又はストランド状の弾性材料から形成されており、前記接合手段が、前記非伸縮域において、少なくとも前記ウエスト弾性体どうしの前記縦方向における離間した部分に配置される。
（２）前記ウエスト弾性体は、前記第１ウエスト域の両側縁に位置する外端部と、前記外端部と前記横方向において対向する内端部とを有し、前記内端部は前記イラストシートの両側部と平面視において互いに重なって位置しており、かつ、前記吸液性コアの両側部と平面視において互いに重なっている。
（３）前記第１ウエスト域の外面に取り付けられたテープファスナをさらに有し、前記テープファスナは前記外面に固定された固定部を有し、前記接合手段は少なくとも前記固定部と平面視において重なるように配置される。
（４）前記接合手段が、前記テープファスナの前記固定部と平面視において重なる位置にのみ配置されており、前記横方向へ延びる、前記縦方向において所与寸法離間して配置された複数条のラインから形成される。
（５）前記固定部の外端部分が前記伸縮域に位置しており、前記接合手段が前記伸縮域における前記外端部と平面視において重なる部分に配置される。